(57)【要約】【課題】移動端末から送信される信号の強度レベルが変動しても、常に適正な中継利得で増幅した信号を基地局に送信可能な中継送受信装置および移動体通信システムを提供することを目的とする。【解決手段】本発明に係る中継送受信装置１０は、移動端末３と基地局１との間で行われる無線送受信を中継する中継送受信装置であって、基地局１からの信号を利得可変に増幅する基地局側受信ＡＧＣアンプ１０５と、増幅された信号の強度レベルを検知する基地局側受信レベル検知回路１１２とを備える。そして、移動端末３からの信号を利得可変に増幅する端末側受信ＡＧＣアンプ２０５を備える。中継送受信装置は、基地局側受信レベル検知回路１１２が検知した強度レベルに応じて、端末側受信ＡＧＣアンプ２０５による利得を制御する。【選択図】図２
2010004515.tif 000002
【特許請求の範囲】
【請求項１】
移動局と基地局との間で行われる無線送受信を中継する中継送受信装置であって、
前記基地局からの信号を利得可変に増幅する下り受信可変利得増幅器と、
前記下り受信可変利得増幅器で増幅された信号の強度レベルを検知する下り受信レベル検知回路と、
前記下り受信レベル検知回路が検知した前記強度レベルに応じて、前記下り受信可変利得増幅器による利得を制御する下り受信利得制御部と、
前記移動局からの信号を利得可変に増幅する上り受信可変利得増幅器とを備え、
前記下り受信レベル検知回路が検知した前記強度レベルに応じて、前記上り受信可変利得増幅器による利得を制御する、
中継送受信装置。
【請求項２】
移動局と基地局との間で行われる無線送受信を中継する中継送受信装置であって、
前記移動局からの信号の強度レベルを検知する上り受信レベル検知回路と、
前記基地局に送信すべき信号を利得可変に増幅する上り送信可変利得増幅器と、
前記上り受信レベル検知回路が検知した前記強度レベルに応じて、前記上り送信可変利得増幅器による利得を制御する上り送信利得制御部とを備える、
中継送受信装置。
【請求項３】
移動局と基地局との間で行われる無線送受信を中継する中継送受信装置であって、
前記基地局からの信号に基づいてフレーム同期を制御するフレーム同期制御回路と、
前記基地局に送信すべき信号を利得可変に増幅する上り送信可変利得増幅器と、
前記フレーム同期制御回路によるフレーム同期状態に応じて、前記上り送信可変利得増幅器による利得を制御する上り送信利得制御部とを備える、
中継送受信装置。
【請求項４】
移動局と基地局との間で行われる無線送受信を中継する中継送受信装置であって、
前記基地局からの信号の強度レベルを検知する下り受信レベル検知回路と、
前記基地局に送信すべき信号を利得可変に増幅する上り送信可変利得増幅器と、
前記下り受信レベル検知回路が検知した前記強度レベルに応じて、前記上り送信可変利得増幅器による利得を制御する上り送信利得制御部とを備える、
中継送受信装置。
【請求項５】
前記上り送信利得制御部により制御される前記上り送信可変利得増幅器の利得の状態を外部に通知する利得通知部をさらに備える、
請求項２乃至請求項４のいずれかに記載の中継送受信装置。
【請求項６】
前記上り送信利得制御部は、
前記上り受信レベル検知回路が検知した前記強度レベルが所定値以下である場合に、前記上り送信可変利得増幅器による利得をゼロにするように制御する、
請求項２に記載の中継送受信装置。
【請求項７】
前記上り送信利得制御部は、
前記下り受信レベル検知回路が検知した前記強度レベルが所定値以下である場合に、前記上り送信可変利得増幅器による利得をゼロにするように制御する、
請求項４に記載の中継送受信装置。
【請求項８】
前記上り送信利得制御部は、
前記上り受信レベル検知回路が検知した前記強度レベルが所定値以上である場合に、前記上り送信可変利得増幅器による利得を低減またはゼロにするように制御する、
請求項２に記載の中継送受信装置。
【請求項９】
前記上り送信利得制御部は、
前記上り送信可変利得増幅器による利得を低減した時点から所定時間経過後に、前記上り送信可変利得増幅器による利得を元の利得に戻す、
請求項８に記載の中継送受信装置。
【請求項１０】
前記基地局から前記移動局に送信される下り回線の信号を増幅すべき利得と、前記移動局から前記基地局に送信される上り回線の信号を増幅すべき利得とを予め対応させて格納した中継利得算出テーブルをさらに備え、
前記中継利得算出テーブルに格納された前記上り回線の信号の利得は、前記中継利得算出テーブルに格納された前記下り回線の信号の利得よりも高い、
請求項１乃至請求項９のいずれかに記載の中継送受信装置。
【請求項１１】
請求項８または請求項９に記載の中継送受信装置を複数備える移動体通信システムであって、
前記複数の中継送受信装置同士は、互いに離れて設けられた、
移動体通信システム。
【発明の詳細な説明】
【技術分野】
【０００１】
本発明は、移動局と基地局との間で行われる無線送受信を中継する中継送受信装置、および、移動体通信システムに関するものである。
【背景技術】
【０００２】
中継送受信装置は、基地局と移動局との間に設置され、双方向の信号を中継するときに、それら信号を適正な利得（以下、中継利得と記すこともある）で増幅する。信号を自動的に増幅する動作は、ＡＧＣ（Automatic Gain Control）動作と呼ばれる。例えば、ゾーン縮小や、通話品質劣化が生じる屋内などのシャドウィング領域に移動局があっても、中継送受信装置が、基地局と移動局との間の信号を適正な利得で増幅することにより、基地局と移動局とは互いに良好な通信を行うことができる。
【０００３】
特許文献１に記載の中継送受信装置では、下り回線増幅部および上り回線増幅部それぞれの出力側結合器の出力から、下りおよび上りの通話回線数や通話レベル等の回線状況情報を検出する回線状況検出部を設けている。そして、下り回線制御部、および、上り回線制御部が、その検出に応じて増幅部の増幅段数や組み合わせを切替制御することにより、飽和出力を変えるように構成されている。特許文献２には、サービスエリアを分割したゾーンごとに、上り信号専用のブースタが設けられている。
【０００４】
【特許文献１】特開平１０−２２８９５号公報
【特許文献２】特開平１０−５６４１５号公報
【発明の開示】
【発明が解決しようとする課題】
【０００５】
しかしながら、アクセス制御にＣＤＭＡ（Code Division Multiple Access）やＯＦＤＭＡ（Orthogonal Frequency Division Multiplexing Access）を使用するＮＧＮ(Next Generation Network)モバイルシステムでは、複数の移動局が、異なる強度レベルの電波を、中継送受信装置に同時に送信する。そのため、中継送受信装置の移動局側ＡＧＣ制御回路は、上り回線における移動局からの信号の強度レベル（受信レベル）に基づいて、基地局に送信すべき信号を増幅すべき中継利得を制御しても、適正な中継利得で増幅することができないという問題があった。
【０００６】
また、中継送受信装置を備える移動体通信システムでは、基地局が個々の移動局に対して、上り回線の送信電力制御を行っている場合に、中継送受信装置の移動局ＡＧＣ回路が上り回線の受信レベルに基づいて中継利得制御を実施してしまうと、基地局が行う送信電力制御が正しく作用せず、上りの回線品質を劣化させるという問題点があった。
【０００７】
また、これら問題点を回避するため、ＡＧＣ動作をやめ、増幅すべき中継利得をマニュアルで設定する方法が考えられる。しかしながら、その設定には専門の知識や、設置場所の平均的な電界強度を知る必要があり、非常に煩雑である。そればかりか、設定を誤って上り回線の信号を必要以上の送信電力で基地局に送信すると、無線障害が生じるという問題もあった。
【０００８】
本発明は、上記のような問題点を解決するためになされたものであり、移動局から送信される信号の受信レベルが変動しても、常に適正な中継利得で増幅した信号を基地局に送信可能な中継送受信装置および移動体通信システムを提供することを目的とする。
【課題を解決するための手段】
【０００９】
本発明に係る中継送受信装置は、移動局と基地局との間で行われる無線送受信を中継する中継送受信装置であって、前記基地局からの信号を利得可変に増幅する下り受信可変利得増幅器と、前記下り受信可変利得増幅器で増幅された信号の強度レベルを検知する下り受信レベル検知回路とを備える。そして、前記下り受信レベル検知回路が検知した前記強度レベルに応じて、前記下り受信可変利得増幅器による利得を制御する下り受信利得制御部と、前記移動局からの信号を利得可変に増幅する上り受信可変利得増幅器とを備える。そして、中継送受信装置は、前記下り受信レベル検知回路が検知した前記強度レベルに応じて、前記上り受信可変利得増幅器による利得を制御する。
【発明の効果】
【００１０】
本発明の中継送受信装置によれば、下り受信レベル検知回路が検知した強度レベルに応じて、上り受信可変利得増幅器による利得を制御する。これにより、移動局から送信される信号の強度レベルが変動しても、常に適正な中継利得で増幅した信号を基地局に送信することができる。
【発明を実施するための最良の形態】
【００１１】
＜実施の形態１＞
図１は、本実施の形態に係る移動体通信システムの構成を示す図である。図に示すように、移動体通信システムは、基地局１と、移動端末２，３ａ，３ｂと、中継送受信装置（以下、レピータと記すこともある）１０とを備える。移動端末２は、基地局１配下の移動端末である。本実施の形態に係る中継送受信装置１０は、シャドウィングが生じている領域（シャドウィング領域）４にある移動端末３ａ，３ｂと、基地局１との間で行われる無線送受信を中継する。以下、移動端末３ａ，３ｂを区別する必要が無いときには、移動端末３と記すこともある。
【００１２】
レピータ１０は、基地局１から送信される周波数ｆ１の電波信号を受信し（下り受信）、その信号を、例えば、別の周波数ｆ２に変換して移動端末３に送信する（下り送信）。また、レピータ１０は、移動端末３から送信される周波数ｆ２の信号を受信し（上り受信）、その信号を、周波数ｆ１に変換して基地局１に送信する（上り送信）。ダウンリンク（下り回線）では下り受信と下り送信とを行い、アップリンク（上り回線）では、上り受信と上り送信とを行う。
【００１３】
図２は、本実施の形態に係るレピータ１０の構成を示す図である。図に示すように、レピータ１０は、基地局（端末）側アンテナ１１（２１）と、基地局（端末）側アンテナフィルタ１０１（２０１）と、基地局（端末）側ＴＤＤスイッチ１０２（２０２）と、基地局（端末）側ＬＮＡ１０３（２０３）と、基地局（端末）側ダウンコンバータ１０４（２０４）と、基地局（端末）側受信ＡＧＣアンプ１０５（２０５）と、基地局（端末）側ＨＰＡ１０６（２０６）と、基地局（端末）側アップコンバータ１０７（２０７）と、基地局側送信ベースバンドアンプ１０８と、基地局（端末）側局部発振回路（シンセサイザ）１０９（２０９）と、隣接チャネル除去フィルタ１１１（２１１）と、基地局（端末）側受信レベル検知回路１１２（２１２）と、基地局側ＡＧＣ制御回路１１３と、基地局側送信スケルチ回路１５１と、端末側送信ＡＧＣアンプ２５１と、フレーム同期制御回路３０１と、中継利得算出テーブル３５１と、利得通知部４０１とを備える。
【００１４】
まず、アップリンクを行う構成、および、ダウンリンクを行う構成に共通な部分について説明する。本実施の形態では、基地局（端末）側ＴＤＤスイッチ１０２（２０２）は、時分割でダウンリンク／アップリンクを切り替える。この方式は、ＴＤＤ（Time Division Duplex）方式と呼ばれる。なお、本実施の形態では、ダウンリンク／アップリンクとの切り替えは、ＴＤＤ方式で切り換える場合について説明するが、周波数で分割するＦＤＤ（Frequency Division Duplex）方式でもよい。
【００１５】
基地局１（移動端末３）から受信した信号は、基地局（端末）側アンテナ１１（２１）から基地局（端末）側ＬＮＡ１０３（２０３）を経た後、基地局（端末）側ダウンコンバータ１０４（２０４）により、ベースバンド信号にダウンコンバートされる。ダウンコンバータは、直交検波器とも呼ばれる。基地局（端末）側ダウンコンバータ１０４（２０４）からの信号は、基地局（端末）側受信ＡＧＣアンプ１０５（２０５）に出力される。
【００１６】
本実施の形態に係る下り受信可変利得増幅器である基地局側受信ＡＧＣアンプ１０５は、基地局１から受信した信号を利得可変に増幅する。同様に、本実施の形態に係る上り受信可変利得増幅器である端末側受信ＡＧＣアンプ２０５は、移動端末３から受信した信号を利得可変に増幅する。隣接チャネル除去フィルタ１１１（２１１）は、基地局（端末）側受信ＡＧＣアンプ１０５（２０５）で増幅された信号のうち、所望の信号の隣接チャネル成分を抑圧する。
【００１７】
以上、アップリンクを行う構成、および、ダウンリンクを行う構成に共通な部分について説明した。次に、ダウンリンクを行う構成に特有な部分について説明する。端末側送信ＡＧＣアンプ２５１は、隣接チャネル除去フィルタ１１１を介して、基地局側受信ＡＧＣアンプ１０５で増幅された信号を利得可変に増幅する。端末側アップコンバータ２０７は、端末側送信ＡＧＣアンプ２５１で増幅した信号を送信周波数にアップコンバートする。端末側アップコンバータ２０７からの信号は、端末側ＨＰＡ２０６および端末側アンテナ２１を介して、移動端末３に送信される。
【００１８】
本実施の形態に係る下り受信レベル検知回路である基地局側受信レベル検知回路１１２は、基地局側受信ＡＧＣアンプ１０５で増幅された信号の強度レベルを検知する。本実施の形態に係る下り受信利得制御部である基地局側ＡＧＣ制御回路１１３は、基地局側受信レベル検知回路１１２が検知した強度レベル（受信レベル）に応じて、基地局側受信ＡＧＣアンプ１０５の利得を制御する。
【００１９】
本実施の形態に係る中継送受信装置（レピータ）１０が備える中継利得算出テーブル３５１は、基地局１から移動端末３に送信される下り回線の信号を増幅すべき利得と、移動端末３から基地局１に送信される上り回線の信号を増幅すべき利得とを予め対応させて格納している。以下、中継利得算出テーブル３５１に格納された上述の利得を、中継利得と記すこともある。本実施の形態では、中継利得算出テーブル３５１に格納された上り回線の信号の利得は、中継利得算出テーブル３５１に格納された下り回線の信号の利得よりも高く設定されている。また、本実施の形態に係る中継利得算出テーブル３５１は、基地局１とレピータ１０との間の距離と、上り回線の信号の利得および下り回線の信号の利得（中継利得）とが予め対応させて格納されている。
【００２０】
本実施の形態に係るレピータ１０は、基地局側受信レベル検知回路１１２で検出した強度レベル（受信レベル）から、上述の距離を算出し、中継利得算出テーブル３５１からその距離に対応する適正な中継利得を算出する。なお、ここでは、基地局側受信レベル検知回路１１２で検出した受信レベルから、上述の距離を算出するとしたが、これに限ったものではなく、仮に、基地局側ＡＧＣ制御回路１１３における制御量から、上述の距離を算出する構成であってもよい。基地局側ＡＧＣ制御回路１１３における制御量は、基地局側受信レベル検知回路１１２で検出した受信レベルに対応するため、この構成であっても、上述の構成と同じ動作を行うことになる。
【００２１】
レピータ１０は、中継利得算出テーブル３５１に格納された中継利得（上り回線の信号の利得）に基づいて、端末側受信ＡＧＣアンプ２０５による利得を制御する。こうして、本実施の形態に係る中継送受信装置（レピータ）１０は、基地局側受信レベル検知回路１１２で検出した強度レベル（受信レベル）に応じて、上り受信可変利得増幅器である端末側受信ＡＧＣアンプ２０５による利得を制御する。同様に、本実施の形態に係るレピータ１０は、基地局側受信レベル検知回路１１２で検出した受信レベルに応じて、端末側送信ＡＧＣアンプ２５１による利得を制御する。
【００２２】
フレーム同期制御回路３０１は、基地局１からの信号に基づいてフレーム同期を制御する。本実施の形態に係るフレーム同期制御回路３０１は、基地局１からの信号からタイミングを検知して、上述した基地局（端末）側ＴＤＤスイッチ１０２（２０２）を制御する。これにより、基地局（端末）側ＴＤＤスイッチ１０２（２０２）は、アップリンク／ダウンリンクをＴＤＤ方式の切替えを行う。
【００２３】
以上、ダウンリンクを行う構成に特有な部分について説明したが、次に、アップリンクを行う構成に特有な部分について説明する。本実施の形態に係る上り送信可変利得増幅器である基地局側送信ベースバンドアンプ１０８は、端末側受信ＡＧＣアンプ２０５で増幅された信号を利得可変に増幅する。基地局側アップコンバータ１０７は、基地局側送信ベースバンドアンプ１０８で増幅した信号を送信周波数にアップコンバートする。基地局側アップコンバータ１０７からの信号は、基地局側ＨＰＡ１０６および基地局側アンテナ１１を介して、基地局１に送信される。
【００２４】
本実施の形態に係る上り受信レベル検知回路である端末側受信レベル検知回路２１２は、端末側受信ＡＧＣアンプ２０５で増幅された信号の強度レベル（受信レベル）を検知する。本実施の形態に係る上り送信利得制御部である基地局側送信スケルチ回路１５１は、フレーム同期制御回路３０１によるフレーム同期状態に応じて、基地局側送信ベースバンドアンプ１０８による利得を制御する。本実施の形態では、基地局側送信スケルチ回路１５１は、フレーム同期制御回路３０１によるフレーム同期が確立するまでは、基地局側送信ベースバンドアンプ１０８による利得をゼロにするように制御する。なお、基地局側送信ベースバンドアンプ１０８による利得がゼロにするように制御されることは、中継送受信装置１０から基地局１に信号が送信されないことに相当する。このことは、以下において同様である。
【００２５】
また、基地局側送信スケルチ回路１５１は、端末側受信レベル検知回路２１２が検知した強度レベル（受信レベル）に応じて、基地局側送信ベースバンドアンプ１０８による利得を制御する。本実施の形態では、フレーム同期制御回路３０１が、フレーム同期状態を保っている場合であっても、端末側受信レベル検知回路２１２が検知した受信レベルがゼロ、または、所定値以下であれば、基地局側送信スケルチ回路１５１は、基地局側送信ベースバンドアンプ１０８による利得をゼロにするように制御する。
【００２６】
また、基地局側送信スケルチ回路１５１は、基地局側受信レベル検知回路１１２が検知した強度レベルに応じて、基地局側送信ベースバンドアンプ１０８による利得を制御する。本実施の形態では、中継利得算出テーブル３５１に基づく出力値（利得）が、一定値以下、例えば、１０ｄＢ以下である場合には、基地局側送信スケルチ回路１５１は、中継不要と判断し、自動的に端末側受信ＡＧＣアンプ２０５および基地局側送信ベースバンドアンプ１０８による利得をゼロにするように制御する。
【００２７】
本実施の形態に係るレピータ１０が備える利得通知部４０１は、基地局側送信スケルチ回路１５１により制御される基地局側送信ベースバンドアンプ１０８の利得の状態を外部、例えば、ユーザーに通知する。本実施の形態では、利得通知部４０１は、端末側受信レベル検知回路２１２からの出力がない、あるいは、ある一定値以下の場合を除き、基地局側送信ベースバンドアンプ１０８による利得がゼロである状態を、例えば、ＬＥＤを用いて「警報」表示する。
【００２８】
以上のような本実施の形態に係る移動体通信システムによれば、基地局側受信レベル検知回路１１２が検知した受信レベルに応じて、端末側受信ＡＧＣアンプ２０５による利得を制御する。これにより、基地局１が移動端末３に対して送信電力制御を行い、移動端末３から送信される信号の受信レベルが変動しても、中継送受信装置（レピータ）１０は、常に適正な中継利得で増幅した信号を基地局１に送信することができる。
【００２９】
また、基地局側送信スケルチ回路１５１は、フレーム同期制御回路３０１によるフレーム同期が確立するまでは、基地局側送信ベースバンドアンプ１０８による利得をゼロにするように制御する。この制御により、雑音などによる誤動作で不適切な利得設定にされた状態において生じる雑音信号が、レピータ１０から基地局１に送信されるのを防止することができる。その結果、基地局１配下の移動端末２の通信に対する雑音信号の妨害を防ぐことができる。
【００３０】
また、端末側受信レベル検知回路２１２が検知した受信レベルがゼロ、または、所定値以下である場合に、基地局側送信スケルチ回路１５１は、基地局側送信ベースバンドアンプ１０８による利得をゼロにするように制御する。この制御により、中継エリア外の移動端末から送信されるＳ／Ｎ比の悪い信号を中継増幅し、大きな電力の帯域内雑音信号が、レピータ１０から基地局１に送信されるのを防止することができる。その結果、基地局１配下の移動端末２の通信に対する雑音信号の妨害を防ぐことができる。
【００３１】
また、中継利得算出テーブル３５１に基づく出力値が、一定の大きさ以下である場合には、基地局側送信スケルチ回路１５１は、中継不要と判断し、自動的に端末側受信ＡＧＣアンプ２０５および基地局側送信ベースバンドアンプ１０８による利得をゼロにするように制御する。この制御により、レピータ１０で中継増幅される所定の信号の電界強度が小さいエリアでは、レピータ１０が動作するのを防止することができる。その結果、レピータ１０で増幅されるべき信号が、それ以外の信号に対して与える電波干渉や雑音輻射を低減することができるため、それ以外の信号の回線品質の劣化を防止することができる。
【００３２】
また、利得通知部４０１は、端末側受信レベル検知回路２１２からの出力がない、あるいは、ある一定値以下である場合を除き、基地局側送信ベースバンドアンプ１０８による利得がゼロである状態を、例えば、ＬＥＤを用いて「警報」表示する。これにより、ユーザーは、レピータ１０が機能していないことを知ることができるため、レピータ１０、および、通信端末３の設置環境の見直しをすることができる。
【００３３】
また、本実施の形態では、中継利得算出テーブル３５１に格納された上り回線の信号の利得は、中継利得算出テーブル３５１に格納された下り回線の信号の利得よりも高く設定されている。これにより、レピータ１０から基地局１側に信号が届く範囲を拡大することができる。これにより、上り回線に多値変調が適用できる領域を拡大することができるため、システム全体のパフォーマンスを改善することができる。
【００３４】
＜実施の形態２＞
実施の形態１に係る移動体通信システムの中継送受信装置１０では、上り回線の信号の強度レベルが所定の値よりも低い場合に、上り回線の信号を増幅すべき利得をゼロ、つまり、中継送受信装置１０から基地局１に信号が送信されないように制御した。一方、移動端末３ａが、レピータ１０の近傍に存在する場合には、上り回線の信号の強度レベルが大きい。そのような場合に、上り回線の信号を基地局側ＨＰＡ１０６により増幅すると、上り回線の信号に歪みが生じる。その結果、レピータ１０から基地局１に送信される信号が、隣接チャネルの信号と干渉するという問題があった。
【００３５】
そこで、本実施の形態に係る移動体通信システムでは、この問題を解決することを目的とする。本実施の形態に係る中継送受信装置（レピータ）１０の構成は、図２に係る中継送受信装置（レピータ）１０の構成と同じであり、一部の構成の動作が異なる。以下、実施の形態１と同じ構成については、同じ符号を付し、新たに説明しない構成については、実施の形態１と同じであるものとする。
【００３６】
本実施の形態に係る基地局側送信スケルチ回路１５１は、端末側受信レベル検知回路２１２が検知した強度レベルが所定値以上である場合に、基地局側送信ベースバンドアンプ１０８による利得をゼロにするように制御する。本実施の形態に係る所定値は、基地局側ＨＰＡ１０６での歪みレベルが、規定の歪みレベルに達すると想定される強度レベルである。基地局側送信スケルチ回路１５１は、移動端末３と基地局１とが直接接続するのに充分な一定期間、上述の制御を維持する。
【００３７】
一般に、レピータ１０近傍に移動端末３がある場合、移動端末３における基地局１からの信号の受信レベルは、レピータ１０における基地局１からの信号の受信レベルとほぼ同等である。すなわち、レピータ１０近傍に移動端末３がある場合、移動端末３は、基地局１と直接通信するのに十分な強度レベルの信号を受信している。本実施の形態に係る移動体通信システムによれば、移動端末３が、本来、レピータ１０を必要としない領域に配置された場合に、レピータ１０が、移動端末３との通信を中断することにより、その移動端末３からの信号は、基地局側ＨＰＡ１０６により増幅されなくなる。その結果、レピータ１０から基地局１に、歪みが生じた信号が送信されるのを防ぐことができる。その一方で、レピータ１０近傍の移動端末３には、基地局１と直接接続するように促すことができる。
【００３８】
なお、移動端末３の通信能力が、レピータ１０の通信能力よりも劣る場合がある。この場合には、レピータ１０近傍の移動端末３に、基地局１と直接接続するように促しても、移動端末３と基地局１とは直接通信することができない。この問題を解決する移動体通信システムの構成を、図３に示す。図３に係る移動体通信システムは、上述の中継送受信装置１０を同一のシャドウィング領域４に複数備える。複数の中継送受信装置１０ａ，１０ｂは、一の基地局１と、複数の移動端末３ａ，３ｂとの間に設けられ、複数の中継送受信装置１０ａ，１０ｂ同士は、互いに離れて設けられている。
【００３９】
図３に係る移動体通信システムが備える各レピータ１０ａ，１０ｂは、上り回線の信号の強度レベルを端末側受信レベル検知回路２１２で検知する。端末側受信レベル検知回路２１２で検知した強度レベルが、上述の所定値以上になる値に達したときに、基地局側送信スケルチ回路１５１は、基地局側送信ベースバンドアンプ１０８による利得をゼロにするように制御する。
【００４０】
これにより、レピータ１０ａ近傍の移動端末３ａが、レピータ１０ａに対して過大な強度レベルの信号（バースト信号）を送信した場合には、レピータ１０ａの当該フレームの中継機能は中断される。しかし、移動端末３ａから遠く離れたレピータ１０ｂ付近では、移動端末３ａから送信される信号の強度レベルは、元の強度レベルよりも低くなるため、レピータ１０ｂの当該フレームの中継機能は維持される。このように、図３に係る移動体通信システムによれば、移動端末３が、基地局１と直接通信することができない場合には、レピータ１０ｂを介して、基地局１と通信を維持することができる。
【００４１】
＜実施の形態３＞
実施の形態２に係る移動体通信システムでは、基地局側送信スケルチ回路１５１により、端末側受信レベル検知回路２１２が検知した強度レベルが所定値以上である場合に、基地局側送信ベースバンドアンプ１０８による利得をゼロにするように制御した。つまり、スケルチ機能により、中継送受信装置１０から基地局１に信号が送信されないようにした。このスケルチ機能は、干渉防止の観点では有効である。しかしながら、図３に係る移動体通信システムのような複数のレピータ１０ａ，１０ｂを用いない場合には、移動端末３ａが一のレピータ１０近傍に存在し続ける限り、過入力状態が継続するため、レピータ１０の機能が中断したままになるという問題がある。また、レピータ１０が地下街などに設置された場合には、その近傍の移動端末３ａと基地局１とを直接接続させることができないという問題がある。
【００４２】
そこで、本実施の形態に係る移動体通信システムでは、この問題を解決することを目的とする。図４は、本実施の形態に係る中継送受信装置（レピータ）１０の構成を示す図である。図に示すように、本実施の形態に係る中継送受信装置１０は、基地局側送信スケルチ回路１５１の代わりに、基地局側ＡＧＣ制御回路１６１を備え、基地局側送信ベースバンドアンプ１０８の代わりに、基地局側送信ＡＧＣアンプ１７１を備える点で異なる。
【００４３】
本実施の形態に係る上り送信可変利得増幅器である基地局側送信ＡＧＣアンプ１７１は、端末側受信ＡＧＣアンプ２０５で増幅された信号を利得可変に増幅する。本実施の形態に係る上り送信利得制御部である基地局側ＡＧＣ制御回路１６１は、端末側受信レベル検知回路２１２が検知した強度レベルに応じて、基地局側送信ＡＧＣアンプ１７１による利得を制御する。本実施の形態では、端末側受信レベル検知回路２１２が検知した強度レベルが所定値以上である場合に、基地局側ＡＧＣ制御回路１６１は、基地局側送信ＡＧＣアンプ１７１による利得を低減するように制御する。本実施の形態に係る所定値は、基地局側ＨＰＡ１０６での歪みレベルが、規定の歪みレベルに達すると想定される強度レベルである。
【００４４】
本実施の形態では、基地局側ＡＧＣ制御回路１６１は、基地局側ＨＰＡ１０６での歪みレベルが許容レベルに収まるように、基地局側送信ＡＧＣアンプ１７１による利得を低減する。また、本実施の形態に係る基地局側ＡＧＣ制御回路１６１は、基地局側送信ＡＧＣアンプ１７１による利得を低減した時点から所定時間経過後に、基地局側送信ＡＧＣアンプ１７１による利得を元の利得に戻す。
【００４５】
本実施の形態では、基地局側ＡＧＣ制御回路１６１は、１〜数フレームの短い時間ごとに中継利得を元の中継利得に徐々に回復するように、基地局側送信ＡＧＣアンプ１７１の利得を制御する。中継利得を回復する制御の途中においても、端末側受信レベル検知回路２１２は、移動端末３からの上り回線の信号の強度レベルを検知する。そして、その強度レベルが所定値以上である場合には、基地局側ＡＧＣ制御回路１６１は、基地局側ＨＰＡ１０６での歪みレベルが規定の歪みレベルに収まるように、再度、基地局側送信ＡＧＣアンプ１７１による利得を低減する制御を行う。それから所定時間経過後、基地局側ＡＧＣ制御回路１６１は、１フレーム以内の短い時間ごとに中継利得を元の中継利得に徐々に回復するように、再度、基地局側送信ＡＧＣアンプ１７１の利得を制御する。
【００４６】
以上のような本実施の形態に係る移動体通信システムでは、上り回線の信号に対する中継利得を低減した時点から所定時間経過後、再び元の利得に戻す。そのため、移動端末３ａがレピータ１０近傍に存在し続けても、レピータ１０の機能が中断したままの状態になるのを回避することができる。こうして、レピータ１０より遠方の移動端末が抑圧環境で通信できない状態が長期間続くのを回避することができる。なお、レピータ１０は、上り回線の信号の中継利得を低下させた値の分だけ、下り回線の信号の中継利得を低下させるものであってもよい。このように、上り回線の信号の中継利得と下り回線の中継利得とを同時に制御した場合には、利得を低下させている間に、回線のパワーコントロールに誤差が生じるのを防ぐことができる。
【図面の簡単な説明】
【００４７】
【図１】実施の形態１に係る移動体通信システムの構成を示す図である。
【図２】実施の形態１に係る中継送受信装置の構成を示す図である。
【図３】実施の形態２に係る移動体通信システムの構成を示す図である。
【図４】実施の形態３に係る中継送受信装置の構成を示す図である。
【符号の説明】
【００４８】
１  基地局、２，３，３ａ，３ｂ  移動端末、４  シャドウィング領域、１０，１０ａ，１０ｂ  中継送受信装置、１１  基地局側アンテナ、２１  端末側アンテナ、１０１  基地局側アンテナフィルタ、１０２  基地局側ＴＤＤスイッチ、１０３  基地局側ＬＮＡ、１０４  基地局側ダウンコンバータ、１０５  基地局側受信ＡＧＣアンプ、１０６  基地局側ＨＰＡ、１０７  基地局側アップコンバータ、１０８  基地局側送信ベースバンドアンプ、１０９  基地局側局部発振回路、１１１，２１１  隣接チャネル除去フィルタ、１１２  基地局側受信レベル検知回路、１１３，１６１  基地局側ＡＧＣ制御回路、１５１  基地局側送信スケルチ回路、１７１  基地局側送信ＡＧＣアンプ、２０１  端末側アンテナフィルタ、２０２  端末側ＴＤＤスイッチ、２０３  端末側ＬＮＡ、２０４  端末側ダウンコンバータ、２０５  端末側受信ＡＧＣアンプ、２０６  端末側ＨＰＡ，２０７  端末側アップコンバータ、２０９  端末側局部発振回路、２１２  端末側受信レベル検知回路、３０１  フレーム同期制御回路、３５１  中継利得算出テーブル、４０１  利得通知部。
【図１】
2010004515.tif 000003
【図２】
2010004515.tif 000004
【図３】
2010004515.tif 000005
【図４】
2010004515.tif 000006